(57)【要約】 【課題】  省スペース化を図る。【解決手段】  分割ハウジング３１を収容したハウジング収容部材３２は、レバー３３を装着した状態でフレーム３４内に収容される。レバー３３の一端側には、雄ハウジング１１のカムピン１３が係合可能なカム溝３９が設けられ、他端側には、フレーム３４の操作溝４２内を摺動可能な操作ピン４０が設けられる。嵌合時には、ハウジング収容部材３２がフレーム３４に対して後退するとともに操作ピン４０が操作溝４２内を摺動し、それに伴ってレバー３３が回動することでカムピン１３がカム溝３９に係合して雄ハウジング１１が引き込まれる。フレーム３４には、分割ハウジング３１の後面側から導出した電線Ｗを屈曲させつつ側方へ引き出すための電線引き出し部４７が設けられている。電線引き出し部４７は、フレーム３４のうち操作溝４２が形成された操作溝形成部分４６よりも相対的に前方へ引っ込む形態で形成されている。【選択図】  図６
2005116468.tif 000002
【特許請求の範囲】
【請求項１】
相手のコネクタハウジングと嵌合可能なコネクタハウジングと、コネクタハウジングに対して回動可能に軸支されるとともに一端側に相手のコネクタハウジングに設けたカムピンが係合可能なカム溝を備えたレバーと、コネクタハウジングとレバーを収容可能とされるとともにレバーの他端側に設けられた操作ピンが摺動可能な操作溝を備えたフレームとから構成され、
嵌合時には、コネクタハウジングがフレームに対して相対的に後退するとともに操作ピンが操作溝内を摺動し、それに伴ってレバーが回動することでカムピンがカム溝に係合して相手のコネクタハウジングが引き込まれるようになっており、
前記フレームには、前記コネクタハウジングの後面側から導出した電線を屈曲させつつ側方へ引き出すための電線引き出し部が設けられ、且つこの電線引き出し部は、フレームにおける前記操作溝を設けた部分よりも相対的に前方へ引っ込む形態で形成されていることを特徴とするレバー式コネクタ。
【請求項２】
前記フレームを組付部材に対して組み付けるようにしたものであって、
組付部材には、前記電線の引き出し方向を規制可能な規制部が設けられていることを特徴とする請求項１記載のレバー式コネクタ。
【請求項３】
前記フレームと前記組付部材には、フレームを組み付ける際に、前記フレームと前記規制部との間に前記電線を引き出す上で必要な電線引き出しスペースを確保した位置に前記フレームを位置決め可能な位置決め手段が設けられていることを特徴とする請求項２記載のレバー式コネクタ。
【発明の詳細な説明】
【技術分野】
【０００１】
本発明は、レバー式コネクタに関する。
【背景技術】
【０００２】
従来、レバー式コネクタの一例として下記特許文献１に記載されたものが知られている。このものは、図１１に示すように、電線Ｗの端末に接続した雌端子金具を収容する雌ハウジング１と、雌ハウジング１の両外側面に設けた軸部１ａに回動可能に軸支される一対のレバー２と、雌ハウジング１及び両レバー２を収容するフレーム３とから構成され、レバー２の後端側には、フレーム３の操作溝３ａに対して摺動可能な操作ピン２ａが設けられるとともに、レバー２の前端側には、相手の雄ハウジング４に設けたカムピン４ａが係合可能なカム溝２ｂが設けられている。そして、雄ハウジング４を嵌合すると、フレーム３に対して雌ハウジング１が相対的に後退するとともに操作ピン２ａが操作溝３ａ内を奥方へ摺動することでレバー２が回動し、それに伴ってカムピン４ａがカム溝２ｂに係合して雄ハウジング４が引き込まれて嵌合がなされる。
【０００３】
一方、雌ハウジング１の後面側から導出した電線Ｗを所定方向に引き出す必要がある場合には、図１１の想像線に示すように、フレーム３の後側に電線カバー５を装着してその内部で電線Ｗを屈曲させつつ電線カバー５の電線引き出し口５ａから電線Ｗを引き出すようにすることが考えられる。その場合には、フレーム３と電線カバー５の後壁５ｂとの間には、所定の電線引き出しスペース６が確保されている。
【特許文献１】特開２００１−４３９３０公報
【発明の開示】
【発明が解決しようとする課題】
【０００４】
上記のようなコネクタにおいて省スペース化、つまりフレーム３の長さ寸法や、電線カバー５の長さ寸法（電線引き出しスペース６）を小さくするよう要請があっても、下記の理由から限界があった。すなわち、レバー２における軸部１ａと操作ピン２ａとの間の距離は、大きいほど嵌合に必要な操作力を低減することができるので、規格に適合した操作力を実現するにはある程度の大きさを確保しなければならず、そのためフレーム３の短小化には限界があった。一方、電線カバー５の長さ寸法、つまり電線引き出しスペース６についても、電線Ｗを引き出すのに最低限必要な大きさは確保しなれければならず、その短小化にはやはり限界があった。
本発明は上記のような事情に基づいて完成されたものであって、省スペース化を図ることを目的とする。
【課題を解決するための手段】
【０００５】
上記の目的を達成するための手段として、請求項１の発明は、相手のコネクタハウジングと嵌合可能なコネクタハウジングと、コネクタハウジングに対して回動可能に軸支されるとともに一端側に相手のコネクタハウジングに設けたカムピンが係合可能なカム溝を備えたレバーと、コネクタハウジングとレバーを収容可能とされるとともにレバーの他端側に設けられた操作ピンが摺動可能な操作溝を備えたフレームとから構成され、嵌合時には、コネクタハウジングがフレームに対して相対的に後退するとともに操作ピンが操作溝内を摺動し、それに伴ってレバーが回動することでカムピンがカム溝に係合して相手のコネクタハウジングが引き込まれるようになっており、前記フレームには、前記コネクタハウジングの後面側から導出した電線を屈曲させつつ側方へ引き出すための電線引き出し部が設けられ、且つこの電線引き出し部は、フレームにおける前記操作溝を設けた部分よりも相対的に前方へ引っ込む形態で形成されている構成としたところに特徴を有する。
【０００６】
請求項２の発明は、請求項１に記載のものにおいて、前記フレームを組付部材に対して組み付けるようにしたものであって、組付部材には、前記電線の引き出し方向を規制可能な規制部が設けられているところに特徴を有する。
請求項３の発明は、請求項２に記載のものにおいて、前記フレームと前記組付部材には、フレームを組み付ける際に、前記フレームと前記規制部との間に前記電線を引き出す上で必要な電線引き出しスペースを確保した位置に前記フレームを位置決め可能な位置決め手段が設けられているところに特徴を有する。
【発明の効果】
【０００７】
＜請求項１の発明＞
相手のコネクタハウジングを嵌合し、コネクタハウジングがフレームに対して相対的に後退すると、操作ピンが操作溝内を摺動することで、レバーが回動し、それに伴ってカムピンがカム溝に係合して相手のコネクタハウジングが引き込まれて嵌合が進行する。一方、コネクタハウジングの後面側から導出した電線については、屈曲されつつフレームの電線引き出し部を通して側方へ引き出されている。
本発明によれば、電線引き出し部がフレームにおける操作溝を設けた部分よりも相対的に前方へ引っ込む形態とされているので、その引っ込んだ分だけ全体の省スペース化を図ることができる。
【０００８】
＜請求項２の発明＞
仮に組付部材とは別途に、電線の引き出し方向を規制するための電線カバーを設けた場合と比較すると、一層の省スペース化を図ることができるとともに部品点数を削減することができる。
＜請求項３の発明＞
位置決め手段によりフレームを位置決めして電線引き出しスペースを確保するようにしたから、電線引き出し部から電線を確実に引き出すことができる。
【発明を実施するための最良の形態】
【０００９】
本発明の一実施形態を図１ないし図１０によって説明する。この実施形態では、自動車に搭載されるジャンクションボックスを構成する接続箱本体（図示せず）側に雄コネクタ１０が設けられ、接続箱本体の下面側に覆い付けられるロアカバー２０側に雌コネクタ３０が設けられており、接続箱本体をロアカバー２０に組み付けるのに伴って両コネクタ１０，３０が嵌合されるものを示す。なお以下では、両コネクタ１０，３０における嵌合面側を前方とし、また上下方向については図５を除いた各図面を基準とする。
【００１０】
雄コネクタ１０は、図４，図６及び図７に示すように、接続箱本体の下面に一体形成された雄ハウジング１１を備えている。雄ハウジング１１は、下方へ突出するとともに横長な略角筒状をなすフード部１２を有しており、フード部１２内には、雌コネクタ３０側の雌端子金具と導通接続可能な雄端子金具（雌端子金具共々図示せず）が複数本突設されている。フード部１２における両長辺部の外面前端部には、一対のカムピン１３が突設されている。カムピン１３は、フード部１２の幅方向中央位置から図６の左方または右方に所定幅ずれた位置に配されており、後述するレバー３３のカム溝３９に係合可能とされる。フード部１２における両短辺部の外面には、両コネクタ１０，３０を嵌合する過程で収容部材保持アーム４１に係合して保持部３６に対する係止状態を解除可能な解除部１４が一対設けられている。また雄ハウジング１１の後端外縁部には、ロアカバー２０のロックアーム２５が係止可能なロック部１５が凹み形成されている。
【００１１】
ロアカバー２０は、図１ないし図３に示すように、横長で上方へ開放した略箱型をなしており、その内側に上方から雌コネクタ３０が収容可能とされている。ロアカバー２０の両長辺部の幅方向中央には、所定範囲にわたって切欠部２１が形成されており、その側縁からは、内方へ張り出す受け部２２が４つ設けられ、ハウジング収容部材３２の外側面または位置ずれ吸収アーム４４を受けることが可能とされる（図５参照）。両長辺部の内面のうち受け部２２に隣接する位置には、受け部２２よりも内方へ突出する位置決め受け部２３が２つずつ設けられ、雌コネクタ３０の位置決め部４５を受けることが可能とされる。位置決め受け部２３は、断面形状が略コ字型に形成され、その下端部がロアカバー２０の底壁２４に連結されている。両長辺部における上端からは、雄ハウジング１１のロック部１５に係止することで雄ハウジング１１、すなわち接続箱本体を保持可能なロックアーム２５が２本ずつ突設されている。ロアカバー２０の両短辺部には、雌コネクタ３０の後面側から導出した電線Ｗを側方へ引き出すための電線挿通凹部２６がほぼ全高さ範囲にわたって一対、切欠形成されている。両短辺部の内面上端部で且つ電線挿通凹部２６に臨む位置には、雌コネクタ３０を保持するためのコネクタ保持部２７が内方へ突出して２つずつ設けられている。また底壁２４は、図２に示す左側部分がほぼ水平となっているのに対し、右側部分が右端側にかけて上り勾配となる傾斜状に形成されている。
【００１２】
雌コネクタ３０は、複数の分割ハウジング３１と、各分割ハウジング３１を収容するハウジング収容部材３２と、両コネクタ１０，３０の嵌合動作を助勢するためのレバー３３と、ハウジング収容部材３２及びレバー３３を収容するフレーム３４とから構成されている。分割ハウジング３１内には、電線Ｗの端末に接続された複数本の雌端子金具が収容可能とされている。各分割ハウジング３１から引き出された電線Ｗは、複数本ずつに束ねられた状態で屈曲されてから両側方へ二手に分かれた状態で引き出されるようになっている。なお、これら分割ハウジング３１とハウジング収容部材３２とにより、特許請求の範囲に記載したコネクタハウジングが構成されている。
【００１３】
ハウジング収容部材３２は、全体が横長な略枠状をなすとともにその内部に設けられた仕切り壁によって、各分割ハウジング３１を個別に収容可能な収容室３５が計４室形成されており、図示しない保持手段によって各分割ハウジング３１を収容状態に保持可能とされる。ハウジング収容部材３２の短辺側の両外面には、フレーム３４の収容部材保持アーム４１が係止可能な保持部３６が一対突設されている。ハウジング収容部材３２の長辺側の両外面には、レバー３３を回動可能に軸支する軸部３７が一対突設けられている。両軸部３７は、ハウジング収容部材３２における幅方向中央位置から図２の左方または右方に所定幅ずれた位置に配されている。
【００１４】
レバー３３は、ハウジング収容部材３２の長辺側の両外面に１つずつ装着されており（図５参照）、レバー３３には、上記した軸部３７に嵌合可能な軸受孔３８が穿設されている。レバー３３の一端側には、雄コネクタ１０のカムピン１３が係合可能なカム溝３９が開口して設けられている。カム溝３９は、略弧状をなすとともに入り口３９ａ側から奥端部３９ｂ側に向かって次第に軸受孔３８に接近する形態とされることで、カムピン１３を係合した状態でレバー３３が回動するのに伴って雄コネクタ１０を引き込むことができるようになっている。カム溝３９は、レバー３３が図２に示す位置に組み付けられた状態ではその入り口３９ａが前方へ開口してカムピン１３を受け入れ可能とされる。レバー３３の他端側には、次述するフレーム３４の操作溝４２に係合可能な操作ピン４０が突設されている。この操作ピン４０は、操作溝４２の周縁に沿って摺動可能とされ、それに伴ってレバー３３を回動させることができるようになっている。
【００１５】
フレーム３４は、全体が横長な略枠型をなしており、その内側にハウジング収容部材３２及びレバー３３を組み付けた状態で、ロアカバー２０内に収容されるようになっている。フレーム３４の両短辺部における内面からは、ハウジング収容部材３２の保持部３６に対して係止可能な収容部材保持アーム４１が一対、前方へ延出する片持ち状に形成されている。これにより、ハウジング収容部材３２は、前端面がフレーム３４よりも前方へ突出した初期位置（図２及び図６）から後退不能に保持可能とされる。この収容部材保持アーム４１は、両コネクタ１０，３０を嵌合する過程（詳しくは、カムピン１３がカム溝３９の入り口３９ａに進入した段階）で、解除部１４が係合されることで弾性変形されるとともに保持部３６との係止状態が解除されるようになっている（図８参照）。
【００１６】
フレーム３４の両長辺部における幅方向中央位置から僅かに左方または右方にずれた位置には、後方へ開口する操作溝４２が一対設けられている。操作溝４２は、後方へ開口する入り口４２ａから所定深さまで前後方向に沿って真っ直ぐに形成された後、斜め後方へ向けて屈曲した形状となっている。そして、ハウジング収容部材３２が初期位置からフレーム３４に対して相対的に後退すると、操作ピン４０が操作溝４２の奥端部４２ｂ側へ向けて摺動するとともに、レバー３３が回動されるようになっている。なお、ハウジング収容部材３２及びレバー３３をフレーム３４に対して初期位置に組み付けた状態では、操作ピン４０が操作溝４２のうちの真直部分よりも奥側の傾斜部分に配され、操作ピン４０が操作溝４２の周縁によって前後から挟まれることで、ハウジング収容部材３２が初期位置から前方へ抜け止め保持される。
【００１７】
フレーム３４の両短辺部における外面には、ロアカバー２０のコネクタ保持部２７に対して係止することで、雌コネクタ３０をロアカバー２０から抜け止め状態に保持可能な保持アーム４３が設けられている。保持アーム４３は、フレーム３４の短辺部における後端部から前方へ向かって延出する片持ち状に形成されており、短辺部の両側部に一対ずつ配設されている（図５参照）。保持アーム４３は、図６に示すように、その係止突部４３ａがコネクタ保持部２７に対して係止した状態で先端部の外面がコネクタ保持部２７の内面に当接可能とされる。そして、保持アーム４３は、フレーム３４の短辺部に対して接離する方向（水平方向）に沿って弾性変形可能とされている。一方、フレーム３４の両長辺部における外面には、位置ずれ吸収アーム４４が１本ずつ設けられている（図５参照）。位置ずれ吸収アーム４４は、保持アーム４３と同様に片持ち状に形成されており、図７に示すように、その先端部がロアカバー２０の受け部２２に対して当接可能とされる。位置ずれ吸収アーム４４は、フレーム３４の長辺部に対して接離する方向（水平方向）に沿って弾性変形可能とされている。
【００１８】
上記した保持アーム４３及び位置ずれ吸収アーム４４が弾性変形することで、ハウジング収容部材３２は、ロアカバー２０に対して水平方向（接続箱本体のロアカバー２０に対する組付方向（両コネクタ１０，３０の嵌合方向）と交差する方向）に沿って相対変位することができる。従って、接続箱本体をロアカバー２０に組み付ける際に両コネクタ１０，３０が芯ずれしていた場合でも、ハウジング収容部材３２が水平方向に沿って移動することで、両コネクタ１０，３０の芯合わせが図られるようになっている。
【００１９】
フレーム３４の両長辺部における後端部には、ロアカバー２０に対して雌コネクタ３０を位置決めするための位置決め部４５が一対ずつ設けられている（図５参照）。位置決め部４５は、図７に示すように、雌コネクタ３０をロアカバー２０に組み付ける際に位置決め受け部２３に突き当たることで、雌コネクタ３０のそれ以上の押し込みを規制することができる。この位置決め状態では、フレーム３４の後端面とロアカバー２０の底壁２４との間には、電線Ｗを引き出すのに必要な電線引き出しスペースＳが十分に確保されるようになっている。
【００２０】
さて、フレーム３４における両長辺部の後端部は、幅方向中央部分がその両側方部分よりも後方へ突出して形成されている。この幅方向中央部分は、操作溝４２が設けられた操作溝形成部分４６とされるのに対し、両側方部分は、分割ハウジング３１の後面側から導出した電線Ｗを側方へ引き出すための電線引き出し部４７となっている。つまり、操作溝形成部分４６は、電線引き出し部４７よりも相対的に後方へ突出しており、一方電線引き出し部４７は、操作溝形成部分４６よりも相対的に前方へ引っ込んでいる。
【００２１】
上記したように操作溝形成部分４６が後方、つまりレバー３３の軸部３７から離間する方向へ突出して形成されているから、その突出した分だけレバー３３において操作ピン４０を軸部３７から離間した位置に配置することができる。すなわち、軸部３７と操作ピン４０との間の距離を十分に確保することができるので、両コネクタ１０，３０を嵌合するのに必要な操作力を、規格に適合した大きさとすることができる。一方、電線引き出し部４７が前方、つまり底壁２４から離間する方向へ引っ込んで形成されているから、その引っ込んだ分だけ底壁２４と電線引き出し部４７との間の距離を大きく確保でき、もって電線引き出しスペースＳを必要な分だけ確保することができる。
【００２２】
このように、所望の嵌合操作力を実現するとともに所望の電線引き出しスペースＳを確保した上で、雌コネクタ３０の長さ寸法と電線引き出しスペースＳとを含めたコネクタ配設スペースについては、電線引き出し部４７が前方へ引っ込んだ分だけ（操作溝形成部分４６が後方へ突出した分だけ）、省スペース化を図ることができる。
【００２３】
本実施形態は以上のような構造であり、続いてその作用を説明する。雌端子金具を収容した各分割ハウジング３１をハウジング収容部材３２の各収容室３５内に収容するとともに、軸部３７に軸受孔３８を嵌合させてレバー３３を装着したら、フレーム３４内に後方からハウジング収容部材３２を収容する。ハウジング収容部材３２が初期位置に達すると、図１ないし図３に示すように、一旦撓んだ後に復元した収容部材保持アーム４１が保持部３６に係止するとともに操作溝４２内に進入した操作ピン４０がその周縁に係止することで、ハウジング収容部材３２がフレーム３４に対して初期位置に保持される。
【００２４】
雌コネクタ３０の組み付けが完了したら、雌コネクタ３０をロアカバー２０内に収容する。このとき、分割ハウジング３１の後面側から導出した電線Ｗを二手に分けて適宜に束ねつつフレーム３４の両電線引き出し部４７からそれぞれ側方へ引き出した状態としておく。引き出した電線Ｗをロアカバー２０の電線挿通凹部２６に進入させつつ雌コネクタ３０をロアカバー２０内に押し込んでいくと、途中で保持アーム４３が一旦撓み変形する。そして、雌コネクタ３０を正規深さまで押し込むと、図６に示すように、保持アーム４３が復元してコネクタ保持部２７に対して係止することで、雌コネクタ３０の抜け止めが図られる。このとき、図７に示すように、位置決め部４５が位置決め受け部２３に突き当たることで、それ以上の押し込みが規制されるとともに雌コネクタ３０の位置決めが図られる。この組み付け状態では、電線Ｗは、電線引き出しスペースＳ内においてロアカバー２０の底壁２４に沿うよう屈曲されるとともに電線挿通凹部２６を通って側方外部へと引き出される。
【００２５】
続いて、接続箱本体をロアカバー２０に対して組み付ける作業、すなわち両コネクタ１０，３０の嵌合作業を行う。接続箱本体をロアカバー２０へ向けて下降させると、ハウジング収容部材３２が雄コネクタ１０のフード部１２内に嵌合され、所定深さまで嵌合が進むと、図８に示すように、カムピン１３がカム溝３９の入り口３９ａに進入する。この過程では、解除部１４が収容部材保持アーム４１に対して係合してこれを弾性変形させることで、保持部３６に対する係止状態が解除され、すなわちハウジング収容部材３２がフレーム３４に対して相対的に後退するのが許容される。従って、この状態から嵌合を進行させると、ハウジング収容部材３２がフレーム３４に対して後退するので、操作ピン４０が操作溝４２の傾斜部分内を奥端部４２ｂ側へ向けて摺動変位するとともにレバー３３が回動される。レバー３３が回動すると、カム溝３９の入り口３９ａに進入していたカムピン１３が奥端部３９ｂ側へ向けて摺動変位するとともに、ハウジング収容部材３２に対して雄ハウジング１１が相対的に引き込まれる。そして、図９に示すように、カムピン１３がカム溝３９の奥端部３９ｂに達したところで、両コネクタ１０，３０が正規に嵌合されて雄雌両端子金具が正規に導通接続される。このとき、図１０に示すように、ロアカバー２０のロックアーム２５が雄コネクタ１０のロック部１５に対して係止することで、接続箱本体とロアカバー２０とが組み付け状態に、両コネクタ１０，３０が嵌合状態に保持される。
【００２６】
なお、接続箱本体の組み付け時には、両コネクタ１０，３０が互いに水平方向に位置ずれした、いわゆる芯ずれが生じている場合がある。その場合でも、ロアカバー２０の受け部２２やコネクタ保持部２７に当接する位置ずれ吸収や保持アーム４３が弾性変形することで、雌コネクタ３０がロアカバー２０に対して水平方向に相対変位可能とされているから、芯ずれを吸収して両コネクタ１０，３０を円滑に嵌合させることができる。
【００２７】
以上説明したように本実施形態によれば、電線引き出し部４７が操作溝形成部分４６よりも相対的に前方へ引っ込む形態とされているので、その引っ込んだ分だけ全体の省スペース化を図ることができる。しかも、フレーム３４をロアカバー２０に対して組み付け、その底壁２４によって電線Ｗの引き出し方向を規制するようにしたから、仮にロアカバー２０とは別途に電線Ｗの引き出し方向を規制するための電線カバーをフレーム３４に装着した場合と比較すると、一層の省スペース化を図ることができるとともに部品点数を削減することができる。
【００２８】
さらには、フレーム３４とロアカバー２０には、フレーム３４を組み付ける際に、フレーム３４と底壁２４との間に電線Ｗを引き出す上で必要な電線引き出しスペースＳを確保した位置にフレーム３４を位置決め可能な位置決め部４５と位置決め受け部２３とを設けるようにしたから、電線引き出し部４７から電線Ｗを確実に引き出すことができる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、ハウジングを複数に分割したいわゆる分割コネクタを例示した場合を示したが、本発明はハウジングが１つのものにも勿論適用可能であり、その場合はハウジング収容部材を省略してもよい。
【００３０】
（２）上記した実施形態では、ジャンクションボックスを例示したが、その他リレーボックスなどにも本発明は適用可能である。
（３）上記した実施形態では、雄コネクタを接続箱本体に設けて、雌コネクタをロアカバーに組み付けた場合を示したが、雄雌のコネクタを他の部材に組み付けない、ワイヤ−ツー−ワイヤタイプのものにも本発明は適用可能である。
（４）上記した実施形態とは逆に、雄コネクタ側にレバーやフレームを設けるようにしたものも本発明に含まれる。
【図面の簡単な説明】
【００３１】
【図１】本発明の一実施形態に係る雌コネクタをロアカバーに組み付ける前の状態を示す斜視図
【図２】雌コネクタをロアカバーに組み付ける前の状態を示す一部切欠正面図
【図３】雌コネクタをロアカバーに組み付ける前の状態を示す一部切欠側面図
【図４】ロアカバーに組み付けた雌コネクタと雄コネクタの斜視図
【図５】ロアカバーに雌コネクタを組み付けた状態を示す平面図
【図６】ロアカバーに組み付けた雌コネクタと雄コネクタの一部切欠正面図
【図７】ロアカバーに組み付けた雌コネクタと雄コネクタの一部切欠側面図
【図８】両コネクタを嵌合する途中でカムピンがカム溝の入り口に進入した状態を示す一部切欠正面図
【図９】両コネクタが正規嵌合した状態を示す一部切欠正面図
【図１０】両コネクタが正規嵌合した状態を示す一部切欠側面図
【図１１】従来例の断面図
【符号の説明】
【００３２】
１１…雄ハウジング（相手のコネクタハウジング）
１３…カムピン
２０…ロアカバー（組付部材）
２３…位置決め受け部（位置決め手段）
２４…底壁（規制部）
３１…分割ハウジング（コネクタハウジング）
３２…ハウジング収容部材（コネクタハウジング）
３３…レバー
３４…フレーム
３９…カム溝
４０…操作ピン
４２…操作溝
４５…位置決め部（位置決め手段）
４６…操作溝形成部分
４７…電線引き出し部
Ｓ…電線引き出しスペース
Ｗ…電線
【図１】
2005116468.tif 000003
【図２】
2005116468.tif 000004
【図３】
2005116468.tif 000005
【図４】
2005116468.tif 000006
【図５】
2005116468.tif 000007
【図６】
2005116468.tif 000008
【図７】
2005116468.tif 000009
【図８】
2005116468.tif 000010
【図９】
2005116468.tif 000011
【図１０】
2005116468.tif 000012
【図１１】
2005116468.tif 000013